(57)【要約】【課題】ヘルメットが有する耐貫通性能及び耐衝撃性能を備えるとともに、収納性や携帯性にも優れた保護帽を提供すること。【解決手段】本発明の保護帽は、軟質材からなる帽体１０の頭頂部に衝撃吸収ライナー２０を有し、衝撃吸収ライナー２０を、硬質材で形成された耐衝撃材２１と、軟質材で形成されたライナー材２２とで構成し、帽体１０の内面に耐衝撃材２１を配置し、耐衝撃材２１の内面にライナー材２２を配置したことを特徴とする。【選択図】        図１
2014231657.tif 000002
【特許請求の範囲】
【請求項１】
軟質材からなる帽体の頭頂部に衝撃吸収ライナーを有する保護帽であって、
前記衝撃吸収ライナーを、硬質材で形成された耐衝撃材と、軟質材で形成されたライナー材とで構成し、
前記帽体の内面に前記耐衝撃材を配置し、前記耐衝撃材の内面に前記ライナー材を配置したことを特徴とする保護帽。
【請求項２】
耐衝撃材受け材を備え、
前記耐衝撃材を、椀状の曲面形状に成形し、
前記耐衝撃受け材を、平板状に成形し、
前記耐衝撃材の外周端と前記耐衝撃受け材の外周端とを当接させ、
前記耐衝撃材と前記耐衝撃受け材との間に前記ライナー材を配置したことを特徴とする請求項１に記載の保護帽。
【請求項３】
前記帽体を、外材と内材とで構成し、
前記外材を非伸縮性素材で形成し、
前記耐衝撃材、前記ライナー材、及び前記耐衝撃受け材を、前記外材と前記内材との間に配置したことを特徴とする請求項２に記載の保護帽。
【請求項４】
前記帽体に端部が接続されたあご紐を備え、
前記内材を装着体とするか又は前記内材の内面に装着体を更に配置し、
前記耐衝撃材の前記外周端が、前記頭頂部に位置する仮想中心から半径５センチメートルの範囲を越えて位置し、
前記内材を伸縮性素材で形成し、
前記内材が、使用者の頭部に合わせて伸縮することを特徴とする請求項３に記載の保護帽。
【請求項５】
前記耐衝撃材を、平面視で、一対の円弧状の前記外周端と、一対の直線状の前記外周端とで構成し、円弧状の前記外周端を、前後方向となるように配置することを特徴とする請求項４に記載の保護帽。
【請求項６】
前記外材として、前記衝撃吸収ライナーよりも大きく前記衝撃吸収ライナーを覆う頭頂部用外材と、前記頭頂部用外材と接合されて前頭部に配置される前頭部用外材と、前記頭頂部用外材と接合されて後頭部に配置される後頭部用外材と、前記頭頂部用外材と接合されて側頭部に配置される一対の側頭部用外材とを備え、
前記頭頂部用外材の外周には、前記前頭部用外材、前記後頭部用外材、及び一対の前記側頭部用外材との接合によって第１の接合ラインが形成され、
前記前頭部用外材の両側には、一対の前記側頭部用外材との接合によって、前記第１の接合ラインから前記帽体の開口端に至る第２の接合ラインが形成され、
前記後頭部用外材の両側には、前記一対の前記側頭部用外材との接合によって、前記第１の接合ラインから前記帽体の前記開口端に至る第３の接合ラインが形成されることを特徴とする請求項３から請求項５のいずれかに記載の保護帽。
【請求項７】
前記側頭部用外材として、前記前頭部側に配置される前頭部側側頭部用外材と、前記後頭部側に配置される後頭部側側頭部用外材とを備え、
前記前頭部側側頭部用外材と前記後頭部側側頭部用外材との接合によって、前記第１の接合ラインから前記帽体の前記開口端に至る第４の接合ラインが形成されることを特徴とする請求項６に記載の保護帽。
【請求項８】
前記第３の接合ラインにおける前記帽体の前記開口端近傍には、伸縮性素材で形成された接合部材を備えたことを特徴とする請求項６に記載の保護帽。
【請求項９】
前記第４の接合ラインにおける前記帽体の前記開口端近傍には、伸縮性素材で形成された接合部材を備えたことを特徴とする請求項７に記載の保護帽。
【発明の詳細な説明】
【技術分野】
【０００１】
本発明は、耐貫通性能及び耐衝撃性能に優れるとともに収納性を備えた保護帽に関する。
【背景技術】
【０００２】
一般に、耐貫通性能及び耐衝撃性能を有する保護帽は、ヘルメットと呼ばれるものであるが、帽体が硬質材から構成される。
これに対して、ゴルフなどのスポーツに着用される帽子の頭頂部に硬質材を設けるとともに、頭部を覆う防護部に略三角形の硬質材で形成された保護ピースを組み合わせる安全帽子が提案されている（特許文献１）。
【先行技術文献】
【特許文献】
【０００３】
【特許文献１】特開２０００−８２１９号公報
【発明の開示】
【発明が解決しようとする課題】
【０００４】
特許文献１の安全帽子は、硬質材で覆うことで、衝撃力を分散、吸収することはできるが、ヘルメットが有するような耐貫通性能及び耐衝撃性能までを備えることはない。
すなわち、硬質材と頭部との間には、クッション材しか存在しないため、例えば頭頂部に加わった荷重や衝撃は、クッション材によって緩和されるだけで、そのほとんどは頭部に加わってしまう。
【０００５】
そこで本発明は、ヘルメットが有する耐貫通性能及び耐衝撃性能を備えるとともに、収納性や携帯性にも優れた保護帽を提供することを目的とする。
【課題を解決するための手段】
【０００６】
請求項１記載の本発明の保護帽は、軟質材からなる帽体の頭頂部に衝撃吸収ライナーを有する保護帽であって、前記衝撃吸収ライナーを、硬質材で形成された耐衝撃材と、軟質材で形成されたライナー材とで構成し、前記帽体の内面に前記耐衝撃材を配置し、前記耐衝撃材の内面に前記ライナー材を配置したことを特徴とする。
請求項２記載の本発明は、請求項１に記載の保護帽において、耐衝撃材受け材を備え、前記耐衝撃材を、椀状の曲面形状に成形し、前記耐衝撃受け材を、平板状に成形し、前記耐衝撃材の外周端と前記耐衝撃受け材の外周端とを当接させ、前記耐衝撃材と前記耐衝撃受け材との間に前記ライナー材を配置したことを特徴とする。
請求項３記載の本発明は、請求項２に記載の保護帽において、前記帽体を、外材と内材とで構成し、前記外材を非伸縮性素材で形成し、前記耐衝撃材、前記ライナー材、及び前記耐衝撃受け材を、前記外材と前記内材との間に配置したことを特徴とする。
請求項４記載の本発明は、請求項３に記載の保護帽において、前記帽体に端部が接続されたあご紐を備え、前記内材を装着体とするか又は前記内材の内面に装着体を更に配置し、前記内材の内面に配置する装着体とを備え、前記耐衝撃材の前記外周端が、前記頭頂部に位置する仮想中心から半径５センチメートルの範囲を越えて位置し、前記内材を伸縮性素材で形成し、前記内材が、使用者の頭部に合わせて伸縮することを特徴とする。
請求項５記載の本発明は、請求項４に記載の保護帽において、前記耐衝撃材を、平面視で、一対の円弧状の前記外周端と、一対の直線状の前記外周端とで構成し、円弧状の前記外周端を、前後方向となるように配置することを特徴とする。
請求項６記載の本発明は、請求項請求項３から請求項５のいずれかに記載の保護帽において、前記外材として、前記衝撃吸収ライナーよりも大きく前記衝撃吸収ライナーを覆う頭頂部用外材と、前記頭頂部用外材と接合されて前頭部に配置される前頭部用外材と、前記頭頂部用外材と接合されて後頭部に配置される後頭部用外材と、前記頭頂部用外材と接合されて側頭部に配置される一対の側頭部用外材とを備え、前記頭頂部用外材の外周には、前記前頭部用外材、前記後頭部用外材、及び一対の前記側頭部用外材との接合によって第１の接合ラインが形成され、前記前頭部用外材の両側には、一対の前記側頭部用外材との接合によって、前記第１の接合ラインから前記帽体の開口端に至る第２の接合ラインが形成され、前記後頭部用外材の両側には、前記一対の前記側頭部用外材との接合によって、前記第１の接合ラインから前記帽体の前記開口端に至る第３の接合ラインが形成されることを特徴とする。
請求項７記載の本発明は、請求項６に記載の保護帽において、前記側頭部用外材として、前記前頭部側に配置される前頭部側側頭部用外材と、前記後頭部側に配置される後頭部側側頭部用外材とを備え、前記前頭部側側頭部用外材と前記後頭部側側頭部用外材との接合によって、前記第１の接合ラインから前記帽体の前記開口端に至る第４の接合ラインが形成されることを特徴とする。
請求項８記載の本発明は、請求項６に記載の保護帽において、前記第３の接合ラインにおける前記帽体の前記開口端近傍には、伸縮性素材で形成された接合部材を備えたことを特徴とする。
請求項９記載の本発明は、請求項７に記載の保護帽において、前記第４の接合ラインにおける前記帽体の前記開口端近傍には、伸縮性素材で形成された接合部材を備えたことを特徴とする。
【発明の効果】
【０００７】
本発明によれば、耐衝撃材によって耐貫通性能を確保でき、耐衝撃材とライナー材によって耐衝撃性能を確保でき、ライナー材によって頭部への衝撃を和らげることができるとともに、帽体を軟質材で構成することで収納性や携帯性にも優れている。
【図面の簡単な説明】
【０００８】
【図１】本発明の一実施例による保護帽の正面視での内部構造図
【図２】同保護帽の側面視での内部構造図
【図３】同実施例による保護帽に用いる衝撃吸収ライナーの分解斜視図
【図４】同衝撃吸収ライナーの外観斜視図
【図５】同衝撃吸収ライナーの平面図
【図６】本実施例による保護帽の平面図
【図７】同保護帽の正面図
【図８】同保護帽の側面図
【図９】本実施例による保護帽の折り畳み状態を示す図
【発明を実施するための形態】
【０００９】
本発明の第１の実施の形態による保護帽は、衝撃吸収ライナーを、硬質材で形成された耐衝撃材と、軟質材で形成されたライナー材とで構成し、帽体の内面に耐衝撃材を配置し、耐衝撃材の内面にライナー材を配置したものである。本実施の形態によれば、耐衝撃材によって耐貫通性能を確保でき、耐衝撃材とライナー材によって耐衝撃性能を確保でき、ライナー材によって頭部への衝撃を和らげることができるとともに、帽体を軟質材で構成することで収納性や携帯性にも優れている。
【００１０】
本発明の第２の実施の形態は、第１の実施の形態による保護帽において、耐衝撃材受け材を備え、耐衝撃材を、椀状の曲面形状に成形し、耐衝撃受け材を、平板状に成形し、耐衝撃材の外周端と耐衝撃受け材の外周端とを当接させ、耐衝撃材と耐衝撃受け材との間にライナー材を配置したものである。本実施の形態によれば、耐衝撃受け材によって耐衝撃性能を得ることができるため、耐衝撃材の耐衝撃性能を低下させることができ、例えば耐衝撃材の厚さを薄くすることができる。
【００１１】
本発明の第３の実施の形態は、第２の実施の形態による保護帽において、帽体を、外材と内材とで構成し、外材を非伸縮性素材で形成し、帽体を、非伸縮性素材で形成された外材と、伸縮性素材で形成された内材とで構成し、耐衝撃材、ライナー材、及び耐衝撃受け材を、外材と内材との間に配置したものである。本実施の形態によれば、耐衝撃材、ライナー材、及び耐衝撃受け材を外材と内材とで挟み込むことで、ずれを防止でき、内材によって頭部への衝撃を更に緩和することができる。
【００１２】
本発明の第４の実施の形態は、第３の実施の形態による保護帽において、帽体に端部が接続されたあご紐を備え、内材を装着体とするか又は内材の内面に装着体を更に配置し、耐衝撃材の外周端が、頭頂部に位置する仮想中心から半径５センチメートルの範囲を越えて位置し、内材を伸縮性素材で形成し、内材が、使用者の頭部に合わせて伸縮するものである。本実施の形態によれば、耐衝撃材、ライナー材、及び耐衝撃受け材によって、労働安全衛生法に定める保護帽に関する耐貫通性能及び耐衝撃性能を確保することで、基準に基づくヘルメットとして用いることができる。
【００１３】
本発明の第５の実施の形態は、第４の実施の形態による保護帽において、耐衝撃材を、平面視で、一対の円弧状の外周端と、一対の直線状の外周端とで構成し、円弧状の外周端を、前後方向となるように配置するものである。本実施の形態によれば、耐貫通性能及び耐衝撃性能を確保することができる最低限の大きさを実現することができる。
【００１４】
本発明の第６の実施の形態は、第３から第５の実施の形態による保護帽において、外材として、衝撃吸収ライナーよりも大きく衝撃吸収ライナーを覆う頭頂部用外材と、頭頂部用外材と接合されて前頭部に配置される前頭部用外材と、頭頂部用外材と接合されて後頭部に配置される後頭部用外材と、頭頂部用外材と接合されて側頭部に配置される一対の側頭部用外材とを備え、頭頂部用外材の外周には、前頭部用外材、後頭部用外材、及び一対の側頭部用外材との接合によって第１の接合ラインが形成され、前頭部用外材の両側には、一対の側頭部用外材との接合によって、第１の接合ラインから帽体の開口端に至る第２の接合ラインが形成され、後頭部用外材の両側には、一対の側頭部用外材との接合によって、第１の接合ラインから帽体の開口端に至る第３の接合ラインが形成されるものである。本実施の形態によれば、非伸縮性素材で折り曲げがし難い外材を、第１の接合ライン、第２の接合ライン、及び第３の接合ラインで折り曲げることができるため、衝撃吸収ライナーの形状に沿って外材を折り曲げて収納性を高めることができる。
【００１５】
本発明の第７の実施の形態は、第６の実施の形態による保護帽において、側頭部用外材として、前頭部側に配置される前頭部側側頭部用外材と、後頭部側に配置される後頭部側側頭部用外材とを備え、前頭部側側頭部用外材と後頭部側側頭部用外材との接合によって、第１の接合ラインから帽体の開口端に至る第４の接合ラインが形成されるものである。本実施の形態によれば、第４の接合ラインでも折り曲げることができるため、衝撃吸収ライナーの形状に沿って外材を折り曲げて収納性を更に高めることができる。
【００１６】
本発明の第８の実施の形態は、第６の実施の形態による保護帽において、第３の接合ラインにおける帽体の開口端近傍には、伸縮性素材で形成された接合部材を備えたものである。本実施の形態によれば、伸縮性素材で形成された接合部材を有することで、頭部へのフィット性を高めるとともに、折り曲げ性を高めることができる。
【００１７】
本発明の第９の実施の形態は、第７の実施の形態による保護帽において、第４の接合ラインにおける帽体の開口端近傍には、伸縮性素材で形成された接合部材を備えたものである。本実施の形態によれば、伸縮性素材で形成された接合部材を有することで、頭部へのフィット性を高めるとともに、折り曲げ性を高めることができる。
【実施例】
【００１８】
以下本発明の実施例について図面とともに詳細に説明する。
図１は本発明の一実施例による保護帽の正面視での内部構造図、図２は同保護帽の側面視での内部構造図である。
保護帽は、軟質材からなる帽体１０の頭頂部に衝撃吸収ライナー２０を有する。
帽体１０は、非伸縮性素材で形成された外材１１と、伸縮性素材で形成された内材１２とで構成し、使用者の頭部を覆う部品である。外材１１には、例えばポリウレタンのような合成樹脂を用い、内材１２には、ゴム材、エチレン酢酸ビニルコポリマー、又はポリウレタンのような弾性部材を用いる。
内材１２は、使用者の頭部に合わせて伸縮することができる。
衝撃吸収ライナー２０は、硬質材で形成された耐衝撃材２１と、軟質材で形成されたライナー材２２とで構成し、帽体１０に衝撃が加わった際に使用者の頭部に加わる衝撃を緩和するために帽体１０の内部に取り付けられる部品である。
衝撃吸収ライナー２０は、外材１１の内面に耐衝撃材２１を配置し、耐衝撃材２１の内面にライナー材２２を配置している。耐衝撃材２１には、例えばポリカーボネートを用い、ライナー材２２には例えば発泡材を用いる。
衝撃吸収ライナー２０は、外材１１と内材１２との間に配置している。
【００１９】
保護帽は、帽体１０に端部が接続されたあご紐３０と、内材１２の内面に配置する装着体４０とを備えている。装着体４０には、例えばポリエステル生地を用い、ハンモックとしての機能を有する。なお、本実施例では、内材１２の内面に装着体４０を更に設けた場合を示しているが、内材１２を装着体として用いてもよい。また、内材１２には、弾性部材を用いることなく、例えばポリエステル生地を用いてもよい。
ハンモックとして機能する装着体４０は、帽体１０に衝撃が加わった際に使用者の頭部に加わる衝撃を緩和するために、帽体１０の内部に取り付けられる。
帽体１０には、鍔部６０を備えている。
また、本実施例による保護帽は、衝撃吸収ライナー２０と内材１２との間に弾性材からなる衝撃吸収パット５０を備えていることが好ましい。なお、本実施例による保護帽は、ヘッドバンドは備えていない。
【００２０】
本実施例によれば、耐衝撃材２１によって耐貫通性能を確保でき、耐衝撃材２１とライナー材２２によって耐衝撃性能を確保でき、ライナー材２２及び衝撃吸収パット５０によって頭部への衝撃を和らげることができる。
また、本実施例によれば、衝撃吸収ライナー２０を外材１１と内材１２とで挟み込むことで、ずれを防止でき、内材１２によって頭部への衝撃を更に緩和することができる。
【００２１】
図３は同実施例による保護帽に用いる衝撃吸収ライナーの分解斜視図、図４は同衝撃吸収ライナーの外観斜視図、図５は同衝撃吸収ライナーの平面図である。
衝撃吸収ライナー２０は、耐衝撃材２１及びライナー材２２から構成されるが、より好ましくは耐衝撃受け材２３を含んで構成される。
耐衝撃材２１は、椀状の曲面形状に成形している。耐衝撃受け材２３は、平板状に成形している。
耐衝撃材２１は、平面視で、一対の円弧状の外周端２１ａ、２１ｂと、一対の直線状の外周端２１ｃ、２１ｄとで構成し、円弧状の外周端２１ａ、２１ｂを、前後方向となるように帽体１０内に配置する。
耐衝撃受け材２３についても、平面視で、一対の円弧状の外周端２３ａ、２３ｂと、一対の直線状の外周端２３ｃ、２３ｄとで構成している。
耐衝撃材２１の外周端２１ａ、２１ｂ、２１ｃ、２１ｄと耐衝撃受け材２３の外周端２３ａ、２３ｂ、２３ｃ、２３ｄとを当接させ、耐衝撃材２１と耐衝撃受け材２３との間にライナー材２２を配置する。
耐衝撃材２１の外周端２１ａ、２１ｂ、２１ｃ、２１ｄは、頭頂部に位置する仮想中心Ｘから半径Ｒの範囲を越えて位置する。ここで、半径Ｒは５センチメートル以上とする。
【００２２】
本実施例によれば、耐衝撃材２１及びライナー材２２に加えて耐衝撃受け材２３を設けることで、耐衝撃性能を得ることができるため、耐衝撃材２１の耐衝撃性能を低下させることができ、例えば耐衝撃材２１の厚さを薄くすることができる。
なお、本実施例による衝撃吸収ライナー２０を装着した保護帽は、人頭模型に装着した状態で、重さ３ｋｇの円すい形ストライカを１ｍの高さからこの保護帽の頂部を中心とする直径１０ｃｍの円周内に自由落下させる方法によって試験を行った場合に、円すい形ストライカの先端が人頭模型に接触しない耐貫通性能を有する。
また、本実施例による衝撃吸収ライナー２０を装着した保護帽は、高温処理、低温処理又は浸せき処理をした後、それぞれ、人頭模型に装着した状態で、重さ５ｋｇの半球形ストライカ（日本工業規格G三一〇一（一般構造用圧延鋼材）に定めるＳＳ四〇〇の規格に適合する鋼材を材料とし、かつ、半径四八ミリメートルの半球形衝撃面を有するものに限る。）を１ｍの高さからこの保護帽の頂部に自由落下させる方法によって試験を行った場合に、人頭模型に掛かる衝撃荷重が４．９ｋＮ以下である衝撃吸収性能を有する。なお、この試験は、高温処理等をした後一分以内に終了している。
本実施例によれば、耐衝撃材２１、ライナー材２２、及び耐衝撃受け材２３によって、労働安全衛生法に定める保護帽に関する耐貫通性能及び耐衝撃性能を確保することで、基準に基づくヘルメットとして用いることができる。
また、本実施例によれば、耐衝撃材２１を、平面視で、一対の円弧状の外周端２１ａ、２１ｂと、一対の直線状の外周端２１ｃ、２１ｄとで構成し、円弧状の外周端２１ａ、２１ｂを、前後方向となるように配置することで、衝撃吸収ライナー２０を、耐貫通性能及び耐衝撃性能を確保することができる最低限の大きさを実現することができる。
【００２３】
図６は本実施例による保護帽の平面図、図７は同保護帽の正面図、図８は同保護帽の側面図、図９は本実施例による保護帽の折り畳み状態を示す図である。
本実施例による保護帽は、外材１１として、衝撃吸収ライナー２０よりも大きく衝撃吸収ライナー２０を覆う頭頂部用外材１１ｔと、頭頂部用外材１１ｔと接合されて使用者の前頭部に配置される前頭部用外材１１ｆと、頭頂部用外材１１ｔと接合されて使用者の後頭部に配置される後頭部用外材１１ｒと、頭頂部用外材１１ｔと接合されて使用者の側頭部に配置される一対の側頭部用外材１１ｓとを備えている。
また、側頭部用外材１１ｓとして、前頭部側に配置される前頭部側側頭部用外材１１ｓｆと、後頭部側に配置される後頭部側側頭部用外材１１ｓｒとを備えている。
【００２４】
頭頂部用外材１１ｔの外周には、前頭部用外材１１ｆ、後頭部用外材１１ｒ、及び一対の側頭部用外材１１ｓとの接合によって第１の接合ライン１３が形成される。
また、前頭部用外材１１ｆの両側には、一対の側頭部用外材１１ｓとの接合によって、第１の接合ライン１３から帽体１０の開口端に至る第２の接合ライン１４が形成される。
また、後頭部用外材１１ｒの両側には、一対の側頭部用外材１１ｓとの接合によって、第１の接合ライン１３から帽体１０の開口端に至る第３の接合ライン１５が形成される。
また、前頭部側側頭部用外材１１ｓｆと後頭部側側頭部用外材１１ｓｒとの接合によって、第１の接合ライン１３から帽体１０の開口端に至る第４の接合ライン１６が形成される。
第１の接合ライン１３、第２の接合ライン１４、第３の接合ライン１５、及び第４の接合ライン１６は、例えば、外材１１の端部同士を内方に折り曲げて縫い合わせた縫合部であり、この縫合部で折り曲げることができる。
また、第３の接合ライン１５における帽体１０の開口端近傍には、伸縮性素材で形成された接合部材１７を備えている。
なお、図示はしないが、第４の接合ライン１６における帽体１０の開口端近傍にも、伸縮性素材で形成された接合部材１７を備えていることが好ましい。
【００２５】
図９に示すように、本実施例によれば、非伸縮性素材で折り曲げがし難い外材１１を、第１の接合ライン１３、第２の接合ライン１４、及び第３の接合ライン１５で折り曲げることができるため、衝撃吸収ライナー２０の形状に沿って外材１１を折り曲げることができる。
また、第４の接合ライン１６でも折り曲げることができることで、衝撃吸収ライナー２０の形状に沿って外材１１を折り曲げることができる。
更に、伸縮性素材で形成された接合部材１７を有することで、頭部へのフィット性を高めるとともに、折り曲げ性を高めることができる。
【産業上の利用可能性】
【００２６】
本発明の保護帽は、携帯性、収納性に優れており、地震や火災時の被災用に適している。
【符号の説明】
【００２７】
１０  帽体
１１  外材
１１ｆ  前頭部用外材
１１ｒ  後頭部用外材
１１ｓ  側頭部用外材
１１ｓｆ  前頭部側側頭部用外材
１１ｓｒ  後頭部側側頭部用外材
１２  内材
１３  第１の接合ライン
１４  第２の接合ライン
１５  第３の接合ライン
１６  第４の接合ライン
１７  接合部材
２０  衝撃吸収ライナー
２１  耐衝撃材
２２  ライナー材
２３  耐衝撃受け材
３０  あご紐
４０  装着体
５０  衝撃吸収パット
【図１】
2014231657.tif 000003
【図２】
2014231657.tif 000004
【図３】
2014231657.tif 000005
【図４】
2014231657.tif 000006
【図５】
2014231657.tif 000007
【図６】
2014231657.tif 000008
【図７】
2014231657.tif 000009
【図８】
2014231657.tif 000010
【図９】
2014231657.tif 000011